(57)【要約】【課題】フィルタコンデンサと複数の平滑コンデンサとの間での熱干渉を防ぐことができるコンデンサ装置を提供する。【解決手段】電源と電力供給機器である半導体モジュールとの間の通電回路に設けられるコンデンサ装置１０は、電源入力端子２０から供給された電流に含まれるノイズ電流を除去するためのフィルタコンデンサ１１と、電圧を平滑化するための複数の平滑コンデンサ１２と、フィルタコンデンサ１１及び複数の平滑コンデンサ１２を収容するコンデンサケース１３と、を備え、フィルタコンデンサ１１と複数の平滑コンデンサ１２の中でフィルタコンデンサ１１に最も近い位置にある平滑コンデンサ１２Ａとの間の第１隙間Ｇ１が、複数の平滑コンデンサ１２のうち互いに隣接する２つの平滑コンデンサ１２Ａ，１２Ｂの間の第２隙間Ｇ２よりも大きくなるように構成されている。【選択図】図４
2020013834.tif 000002
【特許請求の範囲】
【請求項１】
電源（Ｂ）と電力供給機器（４）との間の通電回路（３０）に設けられるコンデンサ装置（１０，１１０）であって、
電源入力端子（２０）から入力された電流に含まれるノイズ電流を除去するためのフィルタコンデンサ（１１）と、
電圧を平滑化するための複数の平滑コンデンサ（１２）と、
上記フィルタコンデンサ及び複数の平滑コンデンサを収容するコンデンサケース（１３）と、
を備え、
上記フィルタコンデンサと上記複数の平滑コンデンサの中で上記フィルタコンデンサに最も近い位置にある平滑コンデンサ（１２Ａ）との間の第１隙間（Ｇ１）が、上記複数の平滑コンデンサのうち互いに隣接する２つの平滑コンデンサ（１２Ａ，１２Ｂ）の間の第２隙間（Ｇ２）よりも大きくなるように構成されている、コンデンサ装置（１０，１１０）。
【請求項２】
上記複数の平滑コンデンサとして３つ以上の平滑コンデンサ（１２Ａ，１２Ｂ、１２Ｃ）が複数の間隔（Ｄ１，Ｄ２）で配置されており、上記複数の間隔のうちの最小値（Ｄｍｉｎ）を上記第２隙間とする、請求項１に記載のコンデンサ装置。
【請求項３】
放電抵抗（２５）が設けられた放電抵抗基板（２４）を備え、
上記放電抵抗基板は、上記コンデンサケースの収容開口（１４）の投影面上から外れた位置に設けられている、請求項１または２に記載のコンデンサ装置。
【請求項４】
上記放電抵抗基板は、上記コンデンサケースの上記収容開口を囲む側壁（１３ａ）の外側において上記収容開口の開口面（１４ａ）に沿って延在するように構成されている、請求項３に記載のコンデンサ装置。
【請求項５】
上記フィルタコンデンサ及び上記複数の平滑コンデンサの電圧を検出するための電圧検出端子（２６）を備え、
上記電圧検出端子は、上記コンデンサケースから突出するように構成されている、請求項１〜４のいずれか一項に記載のコンデンサ装置。
【請求項６】
上記電源入力端子に入力された電力を他の電子機器（８）に供給するための電源供給端子（２１）を備え、
上記フィルタコンデンサは、上記電源に対して電気的に上記複数の平滑コンデンサの上流側に設けられており、
上記電源入力端子及び上記電源入力端子はいずれも、上記複数の平滑コンデンサよりも上記フィルタコンデンサに近い位置に設けられている、請求項１〜５のいずれか一項に記載のコンデンサ装置。
【請求項７】
上記コンデンサケースを固定するための固定部（１６）が、上記フィルタコンデンサと上記複数の平滑コンデンサとの間に設けられている、請求項１〜６のいずれか一項に記載のコンデンサ装置。
【請求項８】
上記電力供給機器としての半導体モジュールに電力を供給するためのバスバ（１７，１８）を備える、請求項１〜７のいずれか一項に記載のコンデンサ装置。
【発明の詳細な説明】
【技術分野】
【０００１】
本発明は、コンデンサ装置に関する。
【背景技術】
【０００２】
下記の特許文献１には、電気自動車、ハイブリッド自動車等の車両に搭載される電力変換装置を構成するコンデンサ装置が開示されている。このコンデンサ装置は、複数のコンデンサ素子から構成されたフィルタコンデンサ及び平滑コンデンサがコンデンサケースに収容されている。このコンデンサ装置において、フィルタコンデンサは、電源から入力された直流電流に含まれるノイズ電流を除去し、平滑コンデンサは、昇圧された直流電圧を平滑化するように構成されている。
【先行技術文献】
【特許文献】
【０００３】
【特許文献１】特開２０１４−４５０３５号公報
【発明の概要】
【発明が解決しようとする課題】
【０００４】
ところで、コンデンサ装置として、設計上の要請などに応じてフィルタコンデンサと複数の平滑コンデンサを備えるものが知られている。このコンデンサ装置の場合、複数の平滑コンデンサは通電時の発熱レベルが同様であるため互いに熱干渉しにくいが、フィルタコンデンサと平滑コンデンサを比べると通電時の発熱レベルが異なるため、互いの熱干渉によって低温側のコンデンサが高温側のコンデンサから影響を受け易いという問題がある。特に、特許文献１に開示されているコンデンサ装置のように、フィルタコンデンサ及び平滑コンデンサをともにコンデンサケースに収容する構造の場合には、コンデンサ間の距離が小さいため、熱干渉の問題が顕著である。
そこで、フィルタコンデンサと複数の平滑コンデンサがコンデンサケースに収容されたこの種のコンデンサ装置の設計に際しては、通電時にコンデンサ間で生じ得る熱干渉を防ぐための構造が求められる。
【０００５】
本発明は、かかる課題に鑑みてなされたものであり、フィルタコンデンサと複数の平滑コンデンサとの間での熱干渉を防ぐことができるコンデンサ装置を提供しようとするものである。
【課題を解決するための手段】
【０００６】
本発明の一態様は、
電源（Ｂ）と電力供給機器（４）との間の通電回路（３０）に設けられるコンデンサ装置（１０，１１０）であって、
電源入力端子（２０）から入力された電流に含まれるノイズ電流を除去するためのフィルタコンデンサ（１１）と、
電圧を平滑化するための複数の平滑コンデンサ（１２）と、
上記フィルタコンデンサ及び複数の平滑コンデンサを収容するコンデンサケース（１３）と、
を備え、
上記フィルタコンデンサと上記複数の平滑コンデンサの中で上記フィルタコンデンサに最も近い位置にある平滑コンデンサ（１２Ａ）との間の第１隙間（Ｇ１）が、上記複数の平滑コンデンサのうち互いに隣接する２つの平滑コンデンサ（１２Ａ，１２Ｂ）の間の第２隙間（Ｇ２）よりも大きくなるように構成されている、コンデンサ装置（１０，１１０）、
にある。
【発明の効果】
【０００７】
上記のコンデンサ装置において、フィルタコンデンサと複数の平滑コンデンサとの間の第１隙間は、フィルタコンデンサとこのフィルタコンデンサに最も近い位置にある平滑コンデンサとの間の距離である。この第１隙間を、隣接する２つの平滑コンデンサの間の第２隙間に対して相対的に大きくすることによって、フィルタコンデンサを複数の平滑コンデンサのそれぞれから引き離すことができる。これにより、通電時の発熱レベルが異なるフィルタコンデンサと複数の平滑コンデンサとの間での熱干渉が生じにくい。
【０００８】
以上のごとく、上記態様によれば、フィルタコンデンサと複数の平滑コンデンサとの間での熱干渉を防ぐことができるコンデンサ装置を提供できる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【０００９】
【図１】実施形態１にかかる電力変換装置の全体構成を示す図。
【図２】図１の電力変換装置のインバータ回路図。
【図３】実施形態１のコンデンサ装置の斜視図。
【図４】図３を矢印Ａ方向から視た図。
【図５】図３を矢印Ｂ方向から視た図。
【図６】実施形態２のコンデンサ装置のコンデンサケースに収容されたフィルタコンデンサ及び複数の平滑コンデンサの配置を模式的に示す断面図。
【発明を実施するための形態】
【００１０】
以下、コンデンサ装置に係る実施形態について、図面を参照しつつ説明する。
【００１１】
なお、本明細書の図面では、特に断わらない限り、半導体積層ユニットを構成する複数の半導体モジュールの積層方向である第１方向を矢印Ｘで示し、その第１方向Ｘと直交する第２方向を矢印Ｙで示し、第１方向Ｘ及び第２方向Ｙの両方に直交する第３方向（「高さ方向」ともいう。）を矢印Ｚで示すものとする。
【００１２】
（実施形態１）
図１に示されるように、実施形態１にかかる電力変換装置１は、ケース２内に半導体積層ユニット３と、制御回路基板７と、リアクトル８と、コンデンサ装置１０と、放電抵抗基板２４と、を収容している。ケース２は、熱伝導性、所謂「熱引き」の良い金属材料によって構成されている。
【００１３】
この電力変換装置１は、例えば、電気自動車やハイブリッド自動車等に搭載され、直流の電源電力を駆動用モータの駆動に必要な交流電力に変換するインバータとして用いられる。
【００１４】
半導体積層ユニット３は、いずれも本体部に半導体素子５を内蔵した複数の半導体モジュール４と、複数の冷却管６を有する冷却器と、を備えている。この半導体積層ユニット３において、複数の半導体モジュール４と複数の冷却管６とが第１方向Ｘに交互に積層配置されている。即ち、各半導体モジュール４は、２つの冷却管６によって第１方向Ｘの両側面から挟持されている。冷却管６は、一端部が冷媒の流入管６ａに連通し、且つ他端部が冷媒の流出管６ｂに連通している。
【００１５】
半導体モジュール４は、複数の制御端子４ａ、正極端子４ｂ、負極端子４ｃ及び交流端子４ｄを有する。複数の制御端子４ａはいずれも、本体部から第３方向Ｚの上方に突出している。正極端子４ｂ、負極端子４ｃ及び交流端子４ｄはいずれも、本体部から第３方向Ｚの下方に突出している。
【００１６】
制御回路基板７は、複数の半導体モジュール４のそれぞれの複数の制御端子４ａに電気的に接続されている。この制御回路基板７は、半導体モジュール４に供給された直流電力を交流電力に変換するために、この半導体モジュール４に内蔵されている半導体素子５のスイッチング動作（オンオフ動作）を制御するように構成されている。半導体素子５として典型的には、ＩＧＢＴ（すなわち、絶縁ゲート型バイポーラトランジスタ）、ＭＯＳＦＥＴ（すなわち、ＭＯＳ型電界効果トランジスタ）等の任意のスイッチング素子が使用される。
【００１７】
リアクトル８は、半導体積層ユニット３の下方に配置されている。このリアクトル８は、通電部９からの通電により磁束を発生するコイル（「インダクタ」ともいう。）を有し、このコイルを利用して電気エネルギーを磁気エネルギーに変換する機能を有する。
【００１８】
コンデンサ装置１０は、電源（後述のバッテリＢ）と電力供給機器としての半導体モジュール４との間の通電回路（後述のインバータ回路３０）に設けられている。このコンデンサ装置１０は、フィルタコンデンサ１１と複数の平滑コンデンサ１２と、フィルタコンデンサ１１及び複数の平滑コンデンサ１２を収容するコンデンサケース１３と、を備えている。フィルタコンデンサ１１及び平滑コンデンサ１２は、同様のコンデンサ素子からなる。このコンデンサ装置１０は、「コンデンサモジュール」或いは「コンデンサアッシ」とも称呼される。
【００１９】
コンデンサケース１３は、収容開口１４を有する有底箱状のケースであり、複数の固定部１６を介してケース２に固定されるように構成されている。固定部１６には、締結部材（図示省略）の軸部を挿入するための貫通孔１６ａが設けられている。このため、固定部１６が締結固定による固定点となる。コンデンサ１１，１２は、コンデンサケース１３の収容開口１４を通じて収容された状態でポッティング樹脂によって封止されている。
【００２０】
コンデンサ装置１０は、半導体モジュール４に電力を供給するために、コンデンサケース１３から収容開口１４の開口面１４ａに垂直な第２方向Ｙに沿って延出してコンデンサ１１，１２を半導体モジュール４に電気的に接続する正極バスバ１７及び負極バスバ１８を備えている。正極バスバ１７及び負極バスバ１８はいずれも、平滑コンデンサ１２からコンデンサケース１３の収容開口１４を通じて延出するプレート部材として構成されている。正極バスバ１７は、半導体モジュール４から突出した正極端子４ｂに溶接等によって接合されている。同様に、負極バスバ１８は、半導体モジュール４から突出した負極端子４ｃに溶接等によって接合されている。
【００２１】
放電抵抗基板２４には、コンデンサ装置１０に蓄積された電荷を放電するための放電抵抗２５が設けられている。放電抵抗基板２４は、コンデンサケース１３の収容開口１４の第２方向Ｙの投影面から外れた位置に、具体的にはコンデンサケース１３の収容開口１４を囲む側壁１３ａから延出した基板固定部１５に設けられている。これにより、発熱体である放電抵抗２５から生じた熱が、コンデンサケース１３に収容されているコンデンサ１１，１２と熱干渉するのを防ぐことができる。
【００２２】
また、この放電抵抗基板２４は、コンデンサケース１３の収容開口１４の開口面１４ａに沿って延在するように構成されている。このとき、放電抵抗基板２４の延在面が収容開口１４の開口面１４ａに対して垂直になる。この開口面１４ａを、ポッティング樹脂によって形成されるポッティング面ということもできる。
【００２３】
コンデンサ装置１０は、フィルタコンデンサ１１及び複数の平滑コンデンサ１２の電圧を検出するための電圧検出端子２６を備えている。この電圧検出端子２６は、コンデンサケース１３に設けられた基板固定部１５から第３方向Ｚの上方に突出して、放電抵抗基板２４と制御回路基板７との間に延在している。即ち、この電圧検出端子２６は、コンデンサ１１，１２が収容されているコンデンサケース１３から突出するように構成されている。これにより、電圧検出端子２６がコンデンサ１１，１２による電磁ノイズの影響を受けにくくなる。
【００２４】
ここで、上記の電力変換装置１の各部構成及び回路構成について、さらに詳細に説明する。
【００２５】
図２に示されるように、電力変換装置１のインバータ回路３０において、複数の半導体モジュール４のそれぞれに内蔵されている半導体素子５のスイッチング動作（オンオフ動作）が制御回路基板７によって制御されて、バッテリＢの直流電力が交流電力に変換される。複数の半導体モジュール４は、半導体モジュール４Ａと、半導体モジュール４Ｂと、に分類される。
【００２６】
本実施形態では、リアクトル８、フィルタコンデンサ１１及び半導体モジュール４Ａによって、インバータ回路３０の昇圧部３１が構成されている。この昇圧部３１は、バッテリＢの電圧を昇圧する機能を有する。フィルタコンデンサ１１は、後述の一対の電源入力端子２０から入力された電流に含まれるノイズ電流を除去するためのコンデンサである。フィルタコンデンサ１１は、バッテリＢに対して電気的に複数の平滑コンデンサ１２の上流側に設けられている。
【００２７】
一方で、コンデンサ１２及び半導体モジュール４Ｂによって、インバータ回路３０の変換部３２が構成されている。この変換部３２は、昇圧部３１で昇圧された後の直流電力を三相（すなわち、Ｕ相、Ｖ相、Ｗ相）の交流電力に変換する機能を有する。コンデンサ１２は、昇圧部３１で昇圧された後の電圧を平滑化するためのコンデンサである。変換部３２で得られた交流電力によって、車両走行用の三相交流モータＭが駆動される。
【００２８】
また、放電抵抗５１は、フィルタコンデンサ１１及び平滑コンデンサ１２と並列に設けられている。これにより、電力変換装置１の停止時等にコンデンサ１１，１２の内部電荷が放電抵抗５１を介して放電される。
【００２９】
なお、上記のインバータ回路３０を構成する各要素の数や配置については、図２に示されるものに限定されるものではなく、必要に応じて適宜に変更が可能である。
【００３０】
図３に示されるように、コンデンサ装置１０のコンデンサケース１３は、第１方向Ｘが長手方向となるように構成されている。そして、フィルタコンデンサ１１と２つの平滑コンデンサ１２が第１方向Ｘに並置された状態でコンデンサケース１３に収容されている。
【００３１】
また、コンデンサ装置１０は、バッテリＢに電気的に接続される一対の電源入力端子２０と、一対の電源入力端子２０に入力された電力を、リアクトル８を含む他の電子機器に供給するための一対の電源供給端子２１と、を備えている。
【００３２】
一対の電源入力端子２０のうちの一方である正極側端子２０ｐは、屈曲板状のバスバ２２の一端部２２ａによって構成されている。また、このバスバ２２の他端部２２ｂによって一対の電源供給端子２１のうちの一方である正極側端子２１ｐが構成されている。
【００３３】
一対の電源入力端子２０のうちの他方である負極側端子２０ｎは、屈曲板状のバスバ２３の一端部２３ａによって構成されている。また、このバスバ２３の他端部２３ｂによって一対の電源供給端子２１のうちの他方である負極側端子２１ｎが構成されている。バスバ２３は、一端部２３ａと他端部２３ｂとの間の領域がコンデンサケース１３のポッティング樹脂に埋設されている。
【００３４】
一対の電源入力端子２０である正極側端子２０ｐ及び負極側端子２０ｎは、外部のバッテリＢ（図２参照）の正極側及び負極側のそれぞれに電気的に接続され、且つ正極側端子２１ｐ及び負極側端子２１ｎのそれぞれに電気的に接続されている。一対の電源供給端子２１である正極側端子２１ｐ及び負極側端子２１ｎは、リアクトル８に電気的に接続されており、一対の電源入力端子２０に入力された電力をリアクトル８に供給可能に構成されている。
【００３５】
一対の電源入力端子２０及び一対の電源供給端子２１は、フィルタコンデンサ１１及び複数の平滑コンデンサ１２のそれぞれに電気的に接続されており、且つ複数の平滑コンデンサ１２よりもフィルタコンデンサ１１に近い位置に設けられている。
【００３６】
ここで、前述のように、フィルタコンデンサ１１は電気的に複数の平滑コンデンサ１２の上流側にある。このため、一対の電源入力端子２０及び一対の電源供給端子２１をフィルタコンデンサ１１に近づけることによって、フィルタコンデンサ１１までの通電経路が短く抑えることができる。これに対して、一対の電源入力端子２０及び一対の電源供給端子２１を複数の平滑コンデンサ１２に近づけると、フィルタコンデンサ１１までの通電経路が長くなり、長くなった分の通電経路が通電時にヒータとなって発熱量が増えるという問題が生じ得る。
【００３７】
図４に示されるように、コンデンサケース１３は、ケース２にいずれも固定される３つの固定部１６のうちの１つがフィルタコンデンサ１１と複数（本実施形態では２つ）の平滑コンデンサ１２との間に設けられている。これにより、通電時にコンデンサ１１，１２で生じた熱を、固定部１６を通じて熱伝導性の良いケース２に伝達させることができ、コンデンサ装置１０を冷却することができる。
【００３８】
ところで、２つの平滑コンデンサ１２は通電時の発熱レベルが同様であるため互いに熱干渉しにくいが、フィルタコンデンサ１１と平滑コンデンサ１２を比べると通電時の発熱レベルが異なるため、互いの熱干渉によって低温側のコンデンサが高温側のコンデンサから影響を受け易くなる。
【００３９】
そこで、本実施形態のコンデンサ装置１０では、図４及び図５に示されるように、フィルタコンデンサ１１と２つの平滑コンデンサ１２の中でフィルタコンデンサ１１に最も近い位置にある平滑コンデンサ１２Ａとの間の第１隙間Ｇ１が、２つの平滑コンデンサ１２の間の第２隙間Ｇ２よりも大きくなるように構成されている。
【００４０】
このコンデンサ装置１０によれば、第１隙間Ｇ１を第２隙間Ｇ２に対して相対的に大きくすることによって、フィルタコンデンサ１１を２つの平滑コンデンサ１２のそれぞれから引き離すことができる。これにより、通電時の発熱レベルが異なるフィルタコンデンサ１１と２つの平滑コンデンサ１２との間での熱干渉が生じにくい。
【００４１】
従って、実施形態１によれば、フィルタコンデンサ１１と２つの平滑コンデンサ１２との間での熱干渉を防ぐことができるコンデンサ装置１０を提供できる。
【００４２】
また、コンデンサ装置１０によれば、フィルタコンデンサ１１と平滑コンデンサ１２とで発熱量や耐熱が異なることを考慮して熱干渉を防ぐことができる。また、フィルタコンデンサ１１と平滑コンデンサ１２のノイズ重畳を防ぐことができる。また、フィルタコンデンサ１１と平滑コンデンサ１２で電位差が異なるため絶縁のロバスト性が向上する。
【００４３】
以下、上記の実施形態１に関連する他の実施形態について図面を参照しつつ説明する。他の実施形態において、実施形態１の要素と同一の要素には同一の符号を付しており、当該同一の要素についての説明を省略する。
【００４４】
（実施形態２）
実施形態２のコンデンサ装置１１０は、コンデンサケース１３に収容される平滑コンデンサ１２の数が実施形態１のコンデンサ装置１０のものと相違している。
その他の構成は、実施形態１と同様である。
【００４５】
図６に示されるように、コンデンサ装置１１０のコンデンサケース１３には、３つの平滑コンデンサ１２が収容されている。なお、本図ではコンデンサケース１３を簡略化して表している。
【００４６】
３つの平滑コンデンサ１２は、２つの間隔Ｄ１，Ｄ２で第１方向Ｘに並置されている。即ち、３つの平滑コンデンサ１２を、フィルタコンデンサ１１に近い方から順に第１平滑コンデンサ１２Ａ、第２平滑コンデンサ１２Ｂ、第３平滑コンデンサ１２Ｃとしたとき、互いに隣接する第１平滑コンデンサ１２Ａと第２平滑コンデンサ１２Ｂの間隔がＤ１となり、互いに隣接する第２平滑コンデンサ１２Ｂと第３平滑コンデンサ１２Ｃの間隔がＤ２となる。
【００４７】
ここで、２つの間隔Ｄ１，Ｄ２のうちの小さい方の間隔、即ち最小値Ｄｍｉｎを第２隙間Ｇ２とすることができる。そして、図６の場合、間隔Ｄ１が間隔Ｄ２よりも小さく最小値Ｄｍｉｎであるため、この間隔Ｄ１が第２隙間Ｇ２となる。
【００４８】
従って、このコンデンサ装置１１０では、フィルタコンデンサ１１と３つの平滑コンデンサ１２Ａ，１２Ｂ，１２Ｃの中でフィルタコンデンサ１１に最も近い位置にある平滑コンデンサ１２Ａとの間の第１隙間Ｇ１が、互いに隣接する第１平滑コンデンサ１２Ａと第２平滑コンデンサ１２Ｂの間隔Ｄ１である第２隙間Ｇ２よりも大きくなるように構成されている。
【００４９】
なお、微小な公差等によって間隔Ｄ１と間隔Ｄ２に差が生じる場合を除いて、間隔Ｄ１と間隔Ｄ２が等しいときには、２つの間隔Ｄ１，Ｄ２がいずれも最小値Ｄｍｉｎであり第２隙間Ｇ２に相当する。
【００５０】
実施形態２のコンデンサ装置１１０によれば、フィルタコンデンサ１１と３つの平滑コンデンサ１２との間での熱干渉を防ぐことができる。
その他、実施形態１と同様の作用効果を奏する。
【００５１】
本発明は、上述の典型的な実施形態のみに限定されるものではなく、本発明の目的を逸脱しない限りにおいて種々の応用や変形が考えられる。例えば、上述の実施形態を応用した次の各形態を実施することもできる。
【００５２】
上述の実施形態では、コンデンサケース１３に１つのフィルタコンデンサ１１と２つ或いは３つの平滑コンデンサ１２が収容されるコンデンサ装置１０，１１０について例示したが、フィルタコンデンサ１１及び平滑コンデンサ１２の数はこれに限定されるものではなく、必要に応じて適宜に変更可能である。例えば、平滑コンデンサ１２の数を４つ以上に変更することもできる。
【００５３】
上述の実施形態では、バッテリＢと半導体モジュール４との間のインバータ回路３０に設けられるコンデンサ装置１０，１１０について例示したが、これらのコンデンサ装置１０，１１０の構造を、電源と各種の電力供給機器との間の通電回路に設けられるコンデンサ装置の構造に対して適用することができる。
【符号の説明】
【００５４】
４  半導体モジュール（電力供給機器）
８  リアクトル（他の電子機器）
１０，１１０  コンデンサ装置
１１  フィルタコンデンサ
１２，１２Ａ，１２Ｂ，１２Ｃ  平滑コンデンサ
１３  コンデンサケース
１３ａ  側壁
１４  収容開口
１４ａ  開口面
１６  固定部
１７  正極バスバ（バスバ）
１８  負極バスバ（バスバ）
２０  電源入力端子
２１  電源供給端子
２４  放電抵抗基板
２５  放電抵抗
２６  電圧検出端子
３０  インバータ回路（通電回路）
Ｂ  バッテリ（電源）
Ｄ１，Ｄ２  間隔
Ｄｍｉｎ  最小値
Ｇ１  第１隙間
Ｇ２  第２隙間
【図１】
2020013834.tif 000003
【図２】
2020013834.tif 000004
【図３】
2020013834.tif 000005
【図４】
2020013834.tif 000006
【図５】
2020013834.tif 000007
【図６】
2020013834.tif 000008